(57)【要約】【課題】電力系統上の切り替えを短時間で且つ簡単に行うことできるプラスチック絶縁電力ケーブル用接続部を提供する。【解決手段】双方の導体引出棒１４の間に配置された導体接続管１３と、導体接続管１３を包囲するように装着される絶縁層２０とケーブル絶縁体１２との間に配置されたゴムストレスコーン２５と、ゴムストレスコーンの先端に配置された高圧遮蔽電極２６と、通電時に導体引出棒１４及び導体接続管１３間を電気的に接続し、断路時に移動することにより双方の導体引出棒１４を電気的に切断する導電断路部材１６，１８とを有し、絶縁層２０は、絶縁油又は絶縁ガスからなる。【選択図】      図１
2004248435.tif 000002
【特許請求の範囲】
【請求項１】
双方の導体引出棒の間に配置された導体接続管と、
前記導体接続管を包囲するように装着される絶縁層とケーブル絶縁体との間に配置されたゴムストレスコーンと、
前記ゴムストレスコーンの先端に配置された高圧遮蔽電極と、
通電時に前記導体引出棒及び前記導体接続管間を電気的に接続し、断路時に移動することにより前記双方の導体引出棒を電気的に切断する導電断路部材とを有し、
前記絶縁層は、絶縁油又は絶縁ガスからなることを特徴とするプラスチック絶縁電力ケーブル用接続部。
【請求項２】
前記導電断路部材は、前記導体引出棒及び前記導体接続管の長手方向に沿って移動可能な導電性のスライド通電スリーブと、このスライド通電スリーブの両端に配置された導電性のフレキシブルバンド部とからなることを特徴とする請求項１記載のプラスチック絶縁電力ケーブル用接続部。
【請求項３】
前記フレキシブルバンド部は、棒状の第１長手部材、この第１長手部材と略同一構成の第２長手部材及び第１長手部材と第２長手部材とを連結する第１連結部材からなるバンド部を、一方向に沿って複数個並設し、複数個のバンド部を第２連結部材により連結してなることを特徴とする請求項２記載のプラスチック絶縁電力ケーブル用接続部。
【請求項４】
双方の導体引出棒を電気的に接続する羽子板部と、
前記羽子板部を包囲するように装着される絶縁層とケーブル絶縁体との間に配置されたゴムストレスコーンと、
前記ゴムストレスコーンの先端に配置された高圧遮蔽電極とを有し、
前記絶縁層は、絶縁油又は絶縁ガスからなることを特徴とするプラスチック絶縁電力ケーブル用接続部。
【請求項５】
前記羽子板部は、Ｙ字状をなす羽子板接触子からなり、この羽子板接触子を前記導体引出棒に形成された溝部に圧力挿入することを特徴とする請求項４記載のプラスチック絶縁電力ケーブル用接続部。
【発明の詳細な説明】
【０００１】
【発明の属する技術分野】
本発明は、プラスチック絶縁電力ケーブル用接続部に関し、特に、ケーブルの抜き差しなしに導体、絶縁接続を断路できる断路機能付きのプラスチック絶縁電力ケーブル用接続部に関する。
【０００２】
【従来の技術】
架橋ポリエチレン絶縁に代表されるプラスチック絶縁電力ケーブルの接続工事には、高い品質を保つための信頼性と、できるだけ短期間に完成させることが要求される。このため、絶縁部の構成が補強絶縁体（エポキシユニット等）、プレモールド絶縁体及びスプリングユニットを具備してなるプレハブ方式は、施工時間の短縮化が可能であること、予め工場にて構成部品の品質管理ができ信頼性に優れていること等から、プラスチック絶縁電力ケーブル用接続部として採用されている。
【０００３】
また、接続されているケーブルを取り外す必要がなく、個々のケーブルの耐圧テストを極めて効率良く行うことができる断路機能付きのプラスチック絶縁電力ケーブル用接続部が知られている。図５に従来の断路機能付接続部の断面図を示す。（特許文献１）。
【０００４】
図５に示すプラスチック絶縁電力ケーブルの一例である架橋ポリエチレン絶縁電力ケーブル（以下、ＣＶケーブルと略称する。）において、第１の内部導体１２１と、第１の内部導体１２１に隣接して配置された少なくとも１つの第２の内部導体１２２とを有する。
【０００５】
電力ケーブルの接続材料１００を装着可能な接続受容孔と課電口との間には、第１及び第２内部導体１２１，１２２を電気的に接続する或いは遮断するために、導体接続部材１３０或いは絶縁断路部材１３０Ａが着脱自在に装着可能とされる。このため、接続されているケーブルを取り外す必要がなく、個々のケーブルの耐圧テストを極めて効率良く行うことができる。
【０００６】
なお、特許文献１に関連する従来の断路機能付きのケーブルヘッドとして、特許文献２〜特許文献５がある。
【０００７】
【特許文献１】
特開２０００−２７８８５３号
【０００８】
【特許文献２】
特開平１０−２３６２１号
【０００９】
【特許文献３】
特開平１０−２３６５０号
【００１０】
【特許文献４】
特開平１０−２４８１２４号
【００１１】
【特許文献５】
特開平１０−２５７６５８号
【００１２】
【発明が解決しようとする課題】
しかしながら、図５に示す従来のプラスチック絶縁電力ケーブル用接続部にあっては、導体接続部材１３０或いは絶縁断路部材１３０Ａを着脱して、第１及び第２内部導体１２１，１２２を電気的に接続或いは遮断していたため、電力系統上の切替え作業が大変であり、かなりの時間を要していた。
【００１３】
本発明は、このような点に鑑みてなされたもので、電力系統上の切り替えを短時間で且つ簡単に行うことできるプラスチック絶縁電力ケーブル用接続部を提供することを目的とする。
【００１４】
【課題を解決するための手段】
請求項１の発明は、双方の導体引出棒の間に配置された導体接続管と、前記導体接続管を包囲するように装着される絶縁層とケーブル絶縁体との間に配置されたゴムストレスコーンと、前記ゴムストレスコーンの先端に配置された高圧遮蔽電極と、通電時に前記導体引出棒及び前記導体接続管間を電気的に接続し、断路時に移動することにより前記双方の導体引出棒を電気的に切断する導電断路部材とを有し、前記絶縁層は、絶縁油又は絶縁ガスからなることを特徴とする。
【００１５】
この発明によれば、導体接続管及び導体引出棒上を絶縁ガス又は絶縁油からなる絶縁層で絶縁し、ゴムストレスコーンの先端に配置された高圧遮蔽電極により、絶縁層とゴストレスコーンとの接続界面にかかる電界を緩和して、接続界面への電界の集中を抑制することができる。また、通電時には、導電断路部材により導体接続管と導体引出棒とが電気的に接続され、断路時には、導電断路部材が移動して、導体接続管と導電断路部材を取り外し、双方の導体引出棒が電気的に切断される。従って、電力系統上の切り替えを短時間で且つ簡単に行うことできる。
【００１６】
請求項２の発明では、前記導電断路部材は、前記導体引出棒及び前記導体接続管の長手方向に沿って移動可能な導電性のスライド通電スリーブと、このスライド通電スリーブの両端に配置された導電性のフレキシブルバンド部とからなることを特徴とする。
【００１７】
この発明によれば、スライド通電スリーブが導体引出棒及び導体接続管の長手方向に沿って移動して、フレキシブルバンド部により導体引出棒と導体接続管との電気的接続又は双方の導体引出棒の電気的切断が行われる。
【００１８】
請求項３の発明では、前記フレキシブルバンド部は、棒状の第１長手部材、この第１長手部材と略同一構成の第２長手部材及び第１長手部材と第２長手部材とを連結する第１連結部材からなるバンド部を、一方向に沿って複数個並設し、複数個のバンド部を第２連結部材により連結してなることを特徴とする。
【００１９】
この発明によれば、フレキシブルバンド部はバンド部を複数個並設してなるので、導体引出棒と導体接続管との電気的接続が良好となる。
【００２０】
請求項４の発明は、双方の導体引出棒を電気的に接続する羽子板部と、前記羽子板部を包囲するように装着される絶縁層とケーブル絶縁体との間に配置されたゴムストレスコーンと、前記ゴムストレスコーンの先端に配置された高圧遮蔽電極とを有し、前記絶縁層は、絶縁油又は絶縁ガスからなることを特徴とする。
【００２１】
この発明によれば、羽子板部及び導体引出棒上を絶縁ガス又は絶縁油からなる絶縁層で絶縁し、ゴムストレスコーンの先端に配置された高圧遮蔽電極により、絶縁層とゴストレスコーンとの接続界面にかかる電界を緩和して、接続界面への電界の集中を抑制することができる。また、通電時には、羽子板部により双方の導体引出棒が電気的に接続され、断路時には、羽子板部を抜き取ることで、双方の導体引出棒が電気的に切断される。従って、電力系統上の切り替えを短時間で且つ簡単に行うことできる。
【００２２】
請求項５の発明では、前記羽子板部は、Ｙ字状をなす羽子板接触子からなり、この羽子板接触子を前記導体引出棒に形成された溝部に圧力挿入することを特徴とする。
【００２３】
この発明によれば、Ｙ字状をなす羽子板接触子を導体引出棒に形成された溝部に圧力挿入することで、羽子板接触子を介して双方の導体引出棒が電気的に接続される。
【００２４】
【発明の実施の形態】
以下、本発明に係るプラスチック絶縁電力ケーブル接続部の実施の形態を図面に基づいて説明する。
【００２５】
（第１実施形態）
図１は本発明の第１実施形態に係るプラスチック絶縁電力ケーブル用接続部の断面図である。図１に示すプラスチック絶縁電力ケーブル用接続部において、ケーブル外部半導電層１１から口出しされたケーブル絶縁体１２が所定長剥離されて導体引出棒１４が露出しており、この導体引出棒１４と相手方の導体引出棒１４との間には、導体接続管１３が配置されている。
【００２６】
導体接続管１３及び導体引出棒１４上には、長手方向に移動可能な銅などからなるスライド通電スリーブ１６が配置されており、このスライド通電スリーブ１６の両端で且つ導体接続管１３及び導体引出棒１４に接触する面側には、銅からなるフレキシブルバンド部１８が形成されている。
【００２７】
導電時には、フレキシブルバンド部１８とスライド通電スリーブ１６とにより導体接続管１３と導体引出棒１４とが電気的に接続されている。また、断路時には、スライド通電スリーブ１６とフレキシブルバンド部１８とが左方向に移動して、導体接続管１３とスライド通電スリーブ１６を取り外し、両ガイドの導体引出棒１４が電気的に切断されるようになっている。フレキシブルバンド部１８の詳細については、後に説明する。
【００２８】
また、導体接続管１３、導体引出棒１４及びスライド通電スリーブ１６を包囲するように、絶縁層２０が配置されている。この絶縁層２０は、絶縁油又は絶縁ガスからなる。また、絶縁層２０の両側のテーパ部には、ケーブルとの間に形成される隙間に対して、ゴムストレスコーン２５が挿入されている。
【００２９】
ゴムストレスコーン２５は、スプリングユニット３０によって押圧され、ゴムストレスコーン２５と絶縁層２０との界面、あるいはゴムストレスコーン２５とケーブル絶縁体１２との界面で絶縁特性が得られるように構成されている。
【００３０】
また、ゴムストレスコーン２５の先端には、高圧遮蔽電極２６が配置されている。この高圧遮蔽電極２６は、絶縁層２０とゴストレスコーン２５との接続界面にかかる電界を緩和して、接続界面への電界の集中を抑制するために設けられる。高圧遮蔽電極２６は、例えば、ＥＰ半導電ゴム系の電極である。この高圧遮蔽電極２６とゴムストレスコーン２５とで電界遮蔽ゴムブロックを構成する。
【００３１】
フレキシブルバンド部１８は、銅などからなり、断面が四角で棒状の第１長手部材、この第１長手部材と略同一構成で第１長手部材より僅かに長い第２長手部材及び第１長手部材と第２長手部材とを連結する第１連結部材がバンド部をなしている。このバンド部が一方向に沿って複数個並設けられ、これら複数個のバンド部は第２連結部材により連結されている。第２連結部材は、バネ性を有する銅からなる。
【００３２】
フレキシブルバンド部１８は、スライド通電スリーブ１６と導体引出棒１４とが真っ直ぐの場合には、バネ性を有する第２連結部材が真っ直ぐとなり、各々の第１長手部材がスライド通電スリーブ１６に接触し、各々の第２長手部材が導体引出棒１４に接触する。また、スライド通電スリーブ１６と導体引出棒１４とが何らかの理由で曲がった場合には、バネ性を有する第２連結部材も曲がり、各々の第１長手部材がスライド通電スリーブ１６に接触し、各々の第２長手部材が導体引出棒１４に接触することができる。
【００３３】
このように構成された第１の実施の形態に係るプラスチック絶縁電力ケーブル接続部によれば、導体接続管１３及び導体引出棒１４上を絶縁ガス又は絶縁油からなる絶縁層２０で絶縁し、ゴムストレスコーン２５の先端に配置された高圧遮蔽電極２６により、絶縁層２０とゴストレスコーン２５との接続界面にかかる電界を緩和して、接続界面への電界の集中を抑制することができる。
【００３４】
また、導電時には、スライド通電スリーブ１６に設けられた一方のフレキシブルバンド部１８が導体接続管１３に電気的に接続され、他方のフレキシブルバンド部１８が導体引出棒１４に電気的に接続されるので、導体接続管１３と導体引出棒１４とが電気的に接続される。このため、双方のケーブルが電気的に接続される。
【００３５】
また、断路時には、スライド通電スリーブ１６とフレキシブルバンド部１８とが左方向に移動するので、一方のスライド通電スリーブ１６の右端に設けられたフレキシブルバンド部１８が導体接続管１３から切り離され、他方のスライド通電スリーブ１６の右端に設けられたフレキシブルバンド部１８が導体引出棒１４から切り離される。このため、導体接続管１３とスライド通電スリーブ１６が取り外し可能となり、断路装作蓋２８より接続部取り除いておけば、双方のケーブルが電気的に切断される。従って、電力系統上の切り替えを短時間で且つ簡単に行うことできる。
【００３６】
また、フレキシブルバンド部１８は、導体引出棒１４及び導体接続管１３が曲げられた場合でも、これに応じてフレキシブルに曲がるので、フレキシブルバンド部１８により、導体引出棒１４と導体接続管１３との電気的接続が良好となる。
【００３７】
（第２実施形態）
図２は本発明の第２実施形態に係るプラスチック絶縁電力ケーブル用接続部の断面図である。図１に示すプラスチック絶縁電力ケーブル用接続部が、導体接続管１３、導体引出棒１４、スライド通電スリーブ１６及びフレキシブルバンド部１８を用いているのに対して、図２に示すプラスチック絶縁電力ケーブル用接続部は、導体引出棒１４ａと羽子板接触子１５とを用いた点が異なる。その他の構成は、図１に示す構成と同一構成であり、同一部分には同一符号を付し、その説明は省略する。
【００３８】
双方の導体引出棒１４ａ，１４ａの間には双方の導体引出棒１４ａ，１４ａを電気的に接続する羽子板接触子１５が配置されている。この羽子板接触子１５は、図３（ａ）に示すように、Ｙ字状をなしており、図３（ｂ）に示すように、分岐部１５ａと突起部１５ｂを有している。この羽子板接触子１５は、図３（ａ）及び図３（ｃ）に示すように、導体引出棒１４ａに形成された溝部１４ｂに圧力挿入されるようになっている。
【００３９】
このように構成された第２の実施の形態に係るプラスチック絶縁電力ケーブル接続部によれば、導体接続管１３及び導体引出棒１４ａ上を絶縁ガス又は絶縁油からなる絶縁層２０で絶縁し、ゴムストレスコーン２５の先端に配置された高圧遮蔽電極２６により、絶縁層２０とゴストレスコーン２５との接続界面にかかる電界を緩和して、接続界面への電界の集中を抑制することができる。
【００４０】
また、通電時には、Ｙ字状をなす羽子板接触子１５を導体引出棒１４ａに形成された溝部１４ｂに圧力挿入することで、羽子板接触子１５を介して双方の導体引出棒１４ａ，１４ａが電気的に接続される。即ち、図６の矢印で示す電流経路のように、羽子板接触子１５により導体接続管１３と双方の導体引出棒１４ａ，１４ａとが電気的に接続される。
【００４１】
また、断路時には、羽子板接触子１５を抜き取ることで、導体接続管１３と導体引出棒１４ａとが電気的に切断される。従って、電力系統上の切り替えを短時間で且つ簡単に行うことできる。
【００４２】
【発明の効果】
以上説明したように本発明によれば、電力系統上の切り替えを短時間で且つ簡単に行うことできるプラスチック絶縁電力ケーブル用接続部を提供することができる。
【図面の簡単な説明】
【図１】本発明の第１実施形態に係るプラスチック絶縁電力ケーブル用接続部の断面図である。
【図２】本発明の第２実施形態に係るプラスチック絶縁電力ケーブル用接続部の断面図である。
【図３】本発明の第２実施形態に係るプラスチック絶縁電力ケーブル用接続部に設けられた羽子板接触子と導体引出棒との接続を示す図である。
【図４】本発明の第２実施形態に係るプラスチック絶縁電力ケーブル用接続部の電流経路を示す図である。
【図５】従来の断路機能付接続部の断面図である。
【符号の説明】
１１  ケーブル外部半導電層
１２  ケーブル絶縁体
１３  導体接続管
１４  導体引出棒
１５  羽子板接触子
１６  スライド通電スリーブ
１８  フレキシブルバンド部
２０  絶縁層
２５  ゴムストレスコーン
２６  高圧遮蔽電極
３０  スプリングユニット
【図１】
2004248435.tif 000003
【図２】
2004248435.tif 000004
【図３】
2004248435.tif 000005
【図４】
2004248435.tif 000006
【図５】
2004248435.tif 000007